(57)【要約】【課題】イヤホンを収納固定することができるイヤホン収納可能な電子製品保護カバーを提供する。【解決手段】電子製品１８はイヤホン２０を有し、イヤホン２０は電線２２及び電線の一端に少なくともひとつの拡声器２８を有し、保護カバー１０の中には収容室１２を有し、電子製品１８を収容することができ、保護カバー１０の側面はイヤホン固定装置３０を有し、イヤホン固定装置３０は柱体３２を有し、その周囲は環面３６を形成していて、イヤホン２０の電線２２をその上に巻きつけることができる。【選択図】図２
0003121090.tif 000002
【実用新案登録請求の範囲】
【請求項１】
イヤホンを収納可能な電子製品の保護カバーであって、
該電子製品はイヤホンを有し、
該イヤホンは電線及び該電線の一端に少なくともひとつの拡声器を有し、
該保護カバーの中には収容室を有し、該電子製品を収容可能であり、
該保護カバーの側面にはイヤホン固定装置を有し、該イヤホン固定装置は柱体を有し、その周囲は環面を形成していて、該イヤホンの電線をその上に巻きつけ可能であることを特徴とするイヤホン収納可能な電子製品保護カバー。
【請求項２】
該イヤホン固定装置は少なくともひとつの拡声器固定溝を有し、その形状は該イヤホンの拡声器に対応していて、該拡声器をその中に収納可能であることを特徴とする請求項１に記載のイヤホン収納可能な電子製品保護カバー。
【請求項３】
該拡声器固定溝の壁面上には通気道を備え有することを特徴とする請求項２に記載のイヤホン収納可能な電子製品保護カバー。
【請求項４】
該イヤホンはプラグを有し、
該イヤホン固定装置はプラグ固定溝を有し、その形状は該イヤホンが備え有するプラグに対応していて、該プラグをその中に収納可能であることを特徴とする請求項１に記載のイヤホン収納可能な電子製品保護カバー。
【請求項５】
該イヤホン固定装置は少なくともひとつの固定孔を有し、該イヤホンの電線をその中に収納可能であることを特徴とする請求項１に記載のイヤホン収納可能な電子製品保護カバー。
【請求項６】
該イヤホン固定装置は板を有し、該板は該柱体の頂端に位置し、該板の載面面積は該柱体よりも大きく、該板の下方は環形の空間を形成していて、該イヤホンの電線をその中に収納するのに用いられることを特徴とする請求項１に記載のイヤホン収納可能な電子製品保護カバー。
【請求項７】
該板の周縁には少なくともひとつの固定孔が設けられ、該イヤホンの電線をその中に収納するのに用いることが可能であることを特徴とする請求項６に記載のイヤホン収納可能な電子製品保護カバー。
【考案の詳細な説明】
【技術分野】
【０００１】
本考案は保護カバーと関連があり、特にイヤホン収納可能な電子製品保護カバーを指す。
【背景技術】
【０００２】
携帯可能な音楽プレーヤー（ＭＰ３プレーヤーなど）は現在最も流行している産品であり、それは比較的小さな体積を有し、人々は該プレーヤーを身に携帯することができ、例えばバッグの中に入れたり、首に掛けたり、腕に取り付けたりして、音楽を聴くのに利用できる。該ＭＰ３プレーヤーは軟質のカバー内に入れられ、該カバーはある程度の保護作用を提供することができる。
【０００３】
前述のプレーヤーを携帯する際、イヤホンはしかしながら使用者を困惑させる物となっている。一般的なイヤホンは長さ約１メートルの電線を有し、一般的なプレーヤーと保護カバー上にはいずれも該イヤホンを入れる適当な装置を備えていない。従って使用者が音楽を聴かない時、イヤホンの電線は該プレーヤーにとって収納の邪魔となる部品となっていた。
【考案の開示】
【考案が解決しようとする課題】
【０００４】
本考案の主な目的は一種のイヤホン収納可能な電子製品保護カバーを提供することで、それはイヤホンを収納固定することができるものである。
【課題を解決するための手段】
【０００５】
前述の考案目的を達成するため、本考案の提供するイヤホン収納可能な電子製品保護カバーは、そのうち該電子製品はイヤホンを有し、該イヤホンは電線及び該電線の一端に少なくともひとつの拡声器を有し、該保護カバーの中には収容室を有し、該電子製品を収容することができ、該保護カバーの側面はイヤホン固定装置を有し、該イヤホン固定装置は柱体を有し、その周囲は環面を形成していて、該イヤホンの電線をその上に巻きつけることができる。
【考案を実施するための最良の形態】
【０００６】
本考案の構造及び特徴の所在を詳細に説明するため、ここに以下の比較的優れた実施例、並びに図式を組み合せて挙げ、後の如く説明する。
各図をご覧ください。示すのは本考案の一実施例によるイヤホン収納可能な電子製品保護カバーであり、そのうち該保護カバー１０は軟質の材料、例えばゴム、シリコンゴム或いはその他の類似した材料により作られる。該保護カバー１０は収容室１２を有し、電子製品１８（図中表示はＭＰ３プレーヤー）をその中に収めることができ、その正面にはのぞき窓１４及び若干の操作部１６を有している。該電子製品１８はイヤホン２０を有し、該イヤホン２０は電線２２を有し、その一端にはプラグ２４を有し、該電子製品１８のプラグ挿入口２６に挿入することができ、もう一端にはふたつの拡声器２８を備え有す。
【０００７】
該保護カバー１０の背面はイヤホン固定装置３０を有し、それは該保護カバー１０と同様の材料で作られる。該装置３０は柱体３２及び板３４から構成され、そのうち該柱体３２は概ね長方体を呈していて、該保護カバー１０の背面から伸び出ていて、その周囲は環面３６を形成している。該板３４は該柱体３２の頂端に位置し、その載面面積は該柱体３２よりも大きく、該板３４の下方は環形の空間３８を形成している。該板３４の頂面はプラグ固定溝４０及びふたつの拡声器固定溝４２を有し、その縁には四つの固定孔４４が設けられる。該プラグ固定溝４０の形状はイヤホン２０のプラグ２４に対応していて、該プラグ２４をはめ込み固定することができる。該ふたつの拡声器固定溝４２の形状はイヤホン２０の拡声器２８に対応していて、その壁面上にはそれぞれ通気道４６を有している。該ふたつの拡声器２８は該ふたつの拡声器固定溝４２にはめ込み固定することができ、通気道４６は拡声器２８をはめ込み或いは抜き出す際、該ふたつの拡声器固定溝４２に空気が流入或いは流出することになり、拡声器２８が気圧により損壊するのを防ぐ。
【０００８】
使用の際、該電子製品１８は該保護カバー１０の中に入れることができ、更に該イヤホン２０を接続し、音楽を聴くことができる。音楽を聴かない時、まず該イヤホン２０のプラグ２４を該プラグ固定溝４０の中にはめ込み、その後該電線２２を該柱体３２の環面３６上に巻きつけ、該空間３８中に収容し、続いて該電線２２を固定孔４４の中に入れ、最後に該ふたつの拡声器２８を該ふたつの拡声器固定溝４２の中にはめ込み、このようにして該イヤホン２０を該保護カバー１０のイヤホン固定装置３０上に固定することができる。
実際の操作の際は、該イヤホン２０のプラグ２４は該電子製品１８に挿したままにすることができ、同様に該電線２２を該柱体３２の環面３６上に巻きつけ、更に該ふたつの拡声器固定溝４２の中にはめ込み、同様にイヤホン収納機能を得ることができる。
【図面の簡単な説明】
【０００９】
【図１】本考案の一実施例によるイヤホン収納可能な電子製品保護カバーの斜視図である。
【図２】本考案の一実施例によるイヤホン収納可能な電子製品保護カバーの背面から見た斜視図である。
【図３】本考案の一実施例によるイヤホン収納可能な電子製品保護カバーの側面図である。
【図４】図２の４‐４線に沿う断面図である。
【符号の説明】
【００１０】
１０  保護カバー、１２  収容室、１４  のぞき窓、１６  操作部、１８  電子製品、２０  イヤホン、２２  電線、２４  プラグ、２６  プラグ挿入口、２８  拡声器、３０  イヤホン固定装置、３２  柱体、３４  板、３６  環面、３８  空間、４０  プラグ固定溝、４２  拡声器固定溝、４４  固定孔、４６  通気道
【図１】
0003121090.tif 000003
【図２】
0003121090.tif 000004
【図３】
0003121090.tif 000005
【図４】
0003121090.tif 000006